(57)【要約】      （修正有）【課題】内部の温度を一定に保つことができ、内部の照明設備を少なくすることができる農業ハウス、畜舎などの簡易ハウスを提供する。【解決手段】アーチ状の柱部材に取り付けられる透明なビニールシートなどからなる樹脂材で構成される壁材が、内壁部３と内壁部３から３〜２０センチの程度の所定距離を隔てて配置される外壁部４とから構成され、水の注入口８と流通路５内を通った水の排水口９が設けられ、内壁部３と外壁部４との間の流通路５内に水が流れるようになった簡易ハウス。【選択図】図２
2018201478.tif 000002
【特許請求の範囲】
【請求項１】
柱部材と、該柱部材に取り付けられる透明な壁材とから構成された簡易ハウスであって、前記壁材は、内側の内壁部と該内壁部と所定距離を隔てて配置される外壁部とで構成されて内部に流通路が形成されており、該流通路は一端側に水を送水する送水口と、他端側に前記送水された水を排出する排水口が形成されていることを特徴とする簡易ハウス。
【請求項２】
前記簡易ハウスは、その断面がドーム状とされており、前記壁材は、樹脂材のシート部材で構成されていることを特徴とする請求項１記載の簡易ハウス。
【請求項３】
前記簡易ハウスの壁材は、樹脂材のシート部材で構成されていることを特徴とする請求項１記載の簡易ハウス。
【請求項４】
前記壁材の流通路は、その内部に段違いで一部が解放された複数の仕切部材が設けられていることを特徴とする請求項１ないし３のいずれか１項に記載の簡易ハウス。
【発明の詳細な説明】
【技術分野】
【０００１】  本発明は、外気温を断ち、室内温度を一定に保つように構成した簡易ハウスに関する。
【背景技術】
【０００２】  農業等におけるハウス栽培などの簡易ハウスは、その温度管理が、異常気象によって管理が難しいのが実情である。【０００３】  そして簡易ハウス内の温度をコントロールするには暖房機器や冷房機器などの設備が必要となり、石油などの燃料コストが嵩み、電気代が高くなるなど利益率が悪化してしまう。また環境にも良くないという欠点もある。
【発明の概要】
【発明が解決しようとする課題】
【０００４】  上記した様に、農業などの簡易ハウスにおいては、ハウス内の温度を制御する際に、暖房機器や冷房機器などの設備を必要とするため設備投資が高くなり、それに伴って収益も下がるという問題と、空調機設備の無いハウスの夏季作業は熱中症に罹り、また、栽培作物も高温障害等で商品価値が下がり計画出荷もできない状況となる。
【問題を解決するための手段】
【０００５】  本発明は、上記課題を解決する為に、簡易ハウスの壁材の素材は透明で耐久性のある化学樹脂材のシート素材であって、前記壁材は、内側の内壁面、及び該内壁面から所定距離を隔てて配置される外壁材面とで構成され、その内部に流通路が形成されており、該流通路は一端側に水を送水する送水口と、他端側に前記送水された水を排出する排水口が形成されていることを特徴とする。
【０００６】  前記簡易ハウス壁材は、ドーム型に構成され、その内壁面と該壁面とは透明度を保つために透明な樹脂材のシート部材で構成されていることを特徴とする。
【０００７】  また、前記簡易ハウスの壁材は、樹脂材のパネル部材でも構成できることを特徴とする。
【０００８】  さらに、前記壁材の流通路は、その内部に段違いで一部が解放された複数の仕切部材が設けられていることを特徴とする。
【発明の効果】
【０００９】  本発明は、上記のように構成することで、農業ハウス、畜舎などの簡易ハウスにおいて、壁材の内部に形成された流通路に水を流すことで外気温を流通路で遮断することができる。これによって、簡易ハウス内の温度が一定に保つことができるようになる。
【００１０】  また、壁材を透明な樹脂とすることで、該簡易ハウス内に日光（明かり）を取り入れることができ、簡易ハウス内の照明設備を少なくすることもできる。さらに、簡易ハウス内の作業者も熱中症などにかかるリスクも低減できる。さらには、家畜の病気、あるいは野菜の品質向上を図ることができる。
【００１１】    また、簡易ハウス内で光を必要としない、うど・ホワイトアスパラの様な作物に於いては、簡易ハウス内の流通路に墨汁等を混合した水を流し、光を遮断し暗室にしての栽培も可能となる。
【００１２】  また、外気温がマイナス温度となるような冬季においては、地下水を流通路に流すことで簡易ハウス内の温度を一定に保つことができる。これによって簡易ハウス内の作物の生育も順調になり、その結果、計画的に出荷が行え、収益アップに繋がる。
【００１３】  また、本発明の簡易ハウスにおいては、穀物等の貯蔵創庫にも利用することができる。この場合も壁材の内部に形成された流通路に水を流すことで外気温を流通路で遮断することができ、貯蔵倉庫等の屋内温度が一定に保つことができるようになる。
【００１４】  上記したように本発明の簡易ハウスにおいては、暖房機器や冷房機器などの設備を必要とすることなく、簡易ハウス内の温度を一定に保つことができるようになる。また、仮に暖房機器や冷房機器が必要となっても出力が低い最小限の暖房機器、冷房機器となり設備投資費用を抑えることができ、簡易ハウスの維持管理費コストが下がるという効果を奏する。
【図面の簡単な説明】
【００１５】
【図１】本発明の壁部材樹脂シート使用の簡易ハウスの斜視図。
【図２】本発明の実施形態を示し、壁部材樹脂シート加工図面の斜視図。
【発明を実施するための形態】
【００１６】    以下、本発明の実施形態を図１〜図２に基づいて説明する。
【００１７】  図１は、本発明の簡易ハウスＨを示し、その形状はドーム形状となっている。そして、この簡易ハウスＨはアーチ状の柱部材１と、この柱部材１に取り付けられる壁材２とから構成されている。この壁材２は透明な樹脂材、例えばビニールシートなどで構成されており、この壁材２は簡易ハウスの内壁を構成する内壁部３と、該内壁部から所定距離、例えば３〜２０センチ程度隔てて配置される外壁部４とから構成されている。
【００１８】  前記した壁材２は、さらに、内壁部３と外壁部４との間は水が流れるようになった流通路５とされている。この流通路５には、その上部に水の注入口８が設けられるとともに、下部には流通路５内を通った水を排出する排水口９が設けられている。そして、この流通路５には溶着仕切部材６が段階的に複数設けることにより、仕切部材６の流通路より、各段の仕切部材には互い違いに開口７が形成されている。これによって上方から流れ落ちてくる水は、右に左にと互い違いに流通路内を流れ下り排水口９より排出される。
【００１９】  前記した仕切部材６は、内壁部３と外壁部４とを溶着することで形成される。このとき、一方側の端部の溶着を非溶着とすることで開口７とされ、上下方向の水の流れを許容する様になっている。この非溶着部分（開口７）は上下方向で互い違いとされている。
【００２０】  前記した壁材は、ドーム形状の一方の面を構成しており、他方の面も同様の構成となっているため、水の注入口８、及び排水口９もそれぞれ備えるようになるが、ドーム形状の頂部に一つの注入口を設けて、左右の下部に排水口９、９を設ける構成とすることもできる。
【００２１】  また、前記した壁材は、柱部材１、１との間に設けるようにした構成を説明したが、柱部材１が複数ある場合は、それぞれの柱部材１、１の間にそれぞれ設け、ファソナー１０もしくは輪か１１にロープを通して連結されるようになる構造。
【００２２】  なお、図示す様に、隣り合う柱部材１、１の間に格子状の網１２を取り付け、この網の上面に内壁部３を取り付けるようにして、水の重みによる内壁部３の損傷を抑えることができるようになる。
【００２３】  また、本実施例の説明の様に、簡易ハウスの内部への出入りについては、図示している扉１３を設置して出入りするようになる。
【図１】
2018201478.tif 000003
【図２】
2018201478.tif 000004